(57)【特許請求の範囲】
【請求項１】
中性子線の照射が行われる照射室と前記照射室の外に位置する外部空間との間に設けられ、前記照射室における前記中性子線を遮蔽する遮蔽構造であって、
前記照射室と前記外部空間とを仕切っており、水を含む透明な液体が収容される透明な水槽と、
前記水槽内に前記液体を供給する液体供給部と、
前記水槽内で前記液体の上昇流を発生させるように前記液体を温めるヒータと、
前記ヒータに温められて上昇した前記液体が前記水槽から排出される液体排出部と、
を備えた遮蔽構造。
【請求項２】
前記液体供給部は、前記水槽の底面に均一に前記液体を供給する、
請求項１に記載の遮蔽構造。
【請求項３】
前記ヒータは、水平方向において均一に前記液体を温める、
請求項１又は２に記載の遮蔽構造。
【請求項４】
前記水槽内の前記液体の水平方向における温度分布を取得する温度分布取得手段を備える、
請求項１〜３のいずれか一項に記載の遮蔽構造。
【請求項５】
前記水槽の底面に供給される前記液体の圧力制御を行う圧力制御部を備える、
請求項１〜４のいずれか一項に記載の遮蔽構造。
【発明の詳細な説明】
【技術分野】
【０００１】
本発明は、中性子線を遮蔽する遮蔽構造に関する。
【背景技術】
【０００２】
特開２０１１−１４１１９８号公報には、アルファ線、ベータ線、ガンマ線及び中性子線を遮蔽する放射線遮蔽体が記載されている。この放射線遮蔽体は、複数の鉛ガラスと、複数の鉛ガラスの間に挿入されたスペーサとを備えており、このスペーサによって複数の鉛ガラスの間には空間が形成される。この空間には、中性子線を遮蔽する遮蔽液が収容されている。遮蔽液の溶質は、天然ホウ素若しくはホウ素化合物、又はこれらに複数の電解質が混合されたものである。
【０００３】
前述の放射線遮蔽体の外側には、放射線遮蔽体と２層構造を成す鉛板が設けられており、この２層構造によってアルファ線、ベータ線、ガンマ線及び中性子線が遮蔽される。また、この放射線遮蔽体は、内部を視認可能な覗き窓を備えており、この覗き窓の内側に前述の遮蔽液が収容されている。
【先行技術文献】
【特許文献】
【０００４】
【特許文献１】特開２０１１−１４１１９８号公報
【発明の概要】
【発明が解決しようとする課題】
【０００５】
前述の放射線遮蔽体では、２枚の鉛ガラスの間に収容された液体によって中性子線が遮蔽される。このとき液体内の物質（不純物等）は中性子線の照射条件や照射される物質の種類によって放射化する場合がある。放射化とは、放射線の照射によって原子核反応が起こり、それまで非放射性であった元素が、放射性同位元素に変わる現象をいう。放射化物が蓄積した液体は、浄化が必要となるため、取扱いが煩雑となる。従って、中性子線を遮蔽する液体を放射化物が蓄積する前に入れ替え、排水処理を合理化することが求められる。
【０００６】
本発明は、中性子線を遮蔽する液体を入れ替えることができる遮蔽構造を提供することを課題とする。
【課題を解決するための手段】
【０００７】
本発明に係る遮蔽構造は、中性子線の照射が行われる照射室と照射室の外に位置する外部空間との間に設けられ、照射室における中性子線を遮蔽する遮蔽構造であって、照射室と外部空間とを仕切っており、水を含む透明な液体が収容される透明な水槽と、水槽内に液体を供給する液体供給部と、水槽内で液体の上昇流を発生させるように液体を温めるヒータと、ヒータに温められて上昇した液体が水槽から排出される液体排出部と、を備える。
【０００８】
この遮蔽構造では、水槽が照射室と照射室の外に位置する外部空間とを仕切っており、この水槽内に水を含む液体が収容される。よって、照射室で発生した中性子線を水槽内の液体の水素原子によって遮蔽することができる。また、この水槽と水槽内に収容される液体とは透明である。従って、水槽及び液体は、上記外部空間から照射室内を視認可能な窓として機能する。なお、本明細書において、「外部空間」とは、照射室の外部に位置する空間を示しており、この「外部空間」は、操作室等の建物の屋内空間、及び建物の外の屋外空間、の両方を含んでいる。また、液体は、液体供給部から水槽内に供給された後にヒータによって温められることとなり、水槽内に液体の上昇流が発生する。ヒータによって温められて上昇した液体は、水槽から液体排出部に排出される。このように、液体供給部から水槽内に液体を供給すると共に、ヒータによって上昇流を発生させて液体を水槽から排出することにより、水槽内の液体を速やかに入れ替えることができる。また、この遮蔽構造では、ヒータで上昇流を発生させて液体を排出するため、水槽内の液体の入れ替えを行う構成を簡易にすることができる。
【０００９】
また、液体供給部は、水槽の底面に均一に液体を供給してもよい。このように水槽の底面に均一に液体を供給すると、水槽内における液体の上昇流が均一になりやすくなる。液体の上昇流が均一である場合には、均一でない場合と比較して液体の逆流が生じにくいので、水槽内の液体を放射化物が蓄積する前に速やかに排出することができる。従って、水槽内の液体を速やかに且つ効率よく入れ替えることができる。
【００１０】
また、ヒータは、水平方向において均一に液体を温めてもよい。このように、ヒータによって液体を水平方向に均一に温めることにより、液体の上昇流を均一にすることができる。従って、放射化物が蓄積する前に液体を速やかに排出することができる。
【００１１】
また、水槽内の液体の水平方向における温度分布を取得する温度分布取得手段を備えてもよい。この温度分布取得手段で液体の水平方向の温度分布を取得することにより、液体の上昇流の強弱に偏りが生じていないかどうかを確認することができる。また、液体の上昇流の強弱に偏りが生じたことを検知できるので、上昇流の強弱に偏りが生じたときに、ヒータの制御等によって上昇流を均一に戻すことが可能となる。
【００１２】
また、水槽の底面に供給される液体の圧力制御を行う圧力制御部を備えてもよい。この場合、圧力制御部によって、水槽の底面に圧力が均一となった液体を供給することができる。従って、水槽の底面からの上昇流を均一にすることができ、水槽内における液体の入れ替えを一層効率よく行うことができる。
【発明の効果】
【００１３】
本発明によれば、中性子線を遮蔽する液体を入れ替えることができる。
【図面の簡単な説明】
【００１４】
【図１】実施形態に係る遮蔽構造を示す縦断面図である。
【図２】図１の遮蔽構造を縦に切断した断面斜視図である。
【図３】図１の遮蔽構造を構成する水槽の底面における液体供給口及びヒータの配置を示す平面図である。
【図４】変形例に係る遮蔽構造を示す縦断面図である。
【発明を実施するための形態】
【００１５】
以下、図面を参照しながら本発明の実施形態を詳細に説明する。図面の説明において同一の要素には同一の符号を付し、重複する説明を省略する。
【００１６】
図１に示されるように、本実施形態に係る遮蔽構造１は、病院や研究施設等の建物Ｔに設けられる。遮蔽構造１は、例えばＢＮＣＴ（ホウ素中性子捕捉療法）でがん治療を行う中性子捕捉療法装置に用いられる。この中性子捕捉療法装置は、治療台に固定された患者に中性子線が照射されてがん治療が行われる照射室２を備える。照射室２は、遮蔽構造１と、例えばコンクリート製の遮蔽壁Ｗと、に覆われた閉鎖空間である。
【００１７】
従来、照射室は、窓がない閉鎖空間となっており、隣接する別室から照射室内を視認できない状態であった。しかしながら、本実施形態では、遮蔽構造１の一部が透明となっており、この遮蔽構造１を介して外部から照射室２の内部を視認可能となっている。遮蔽構造１における照射室２の反対側には、例えば操作室３が設けられている。操作室３は、照射室２の外に位置する外部空間である。操作室３は照射室２よりも暗い部屋となっている。操作室３には操作者Ｍが入室可能となっており、この操作者Ｍは、操作室３内に配置された機器を操作して照射室２内における中性子線の照射を制御する。
【００１８】
遮蔽構造１は、照射室２からの中性子線を遮蔽する水槽構造１０と、水槽構造１０の操作室３側に位置する壁体構造２０とを備えている。このように、遮蔽構造１は水槽構造１０と壁体構造２０とを備えた二重壁構造を有する。水槽構造１０は、水を含む液体Ｅによって照射室２からの中性子線を遮蔽する。
【００１９】
壁体構造２０は、水槽構造１０から離間した位置に設けられており、水槽構造１０と壁体構造２０との間には空間Ｓが形成されている。この空間Ｓは例えば操作室３の一部である。壁体構造２０は、水槽構造１０から生じた二次放射線を遮蔽する。この二次放射線は、例えばガンマ線又はエックス線といった光子線であり、中性子線が液体Ｅ内部の物質（不純物等）に照射されることによって生じた放射線である。
【００２０】
図１及び図２に示されるように、水槽構造１０は、上側の遮蔽壁Ｗと下側の遮蔽壁Ｗとの間に位置する水槽１１と、水槽１１の内部に液体Ｅを供給する液体供給部１２と、水槽１１の内部の液体Ｅを温めて液体Ｅの上昇流Ｆを発生させるヒータ１３と、水槽１１の内部で上昇した液体Ｅが排出される液体排出部１４と、液体Ｅの温度を測定する温度測定部（温度分布取得手段）１５とを備える。
【００２１】
液体Ｅは、水素原子を含む透明な液体である。液体Ｅは、水であってもよいし、水に他の物質が混合された混合物であってもよい。液体Ｅが水である場合、液体Ｅのコストを低減できると共に、現地での液体Ｅの調達及び遮蔽構造１の施工が容易となる。また、液体Ｅは、水道水であってもよいし、純水であってもよい。液体Ｅが水道水である場合、液体Ｅのコストを抑えることができるという利点がある。一方、液体Ｅが純水である場合、液体Ｅ内における不純物が低減されているので、水槽１１の内部における放射化をより確実に抑制することができる。
【００２２】
水槽１１は、直方体状となっており、水槽１１の一部は空間Ｓ（操作室３側）に突出している。水槽１１は、透明であり可視光を透過させる。水槽１１は、例えば中性子線を遮蔽可能なアクリル製である。但し、水槽１１の材料はアクリルでなくてもよく、例えばガラスであってもよい。また、上方に位置する遮蔽壁Ｗの一部は上から水槽１１内に入り込んでおり、水槽１１の上部に位置する遮蔽壁Ｗの下面１１ｂは平坦面となっている。
【００２３】
なお、遮蔽壁Ｗの下面１１ｂは、平坦面となっていなくてもよいが、液体Ｅが滞留しない形状となっていることが好ましい。また、水槽１１の大きさと水槽１１の配置位置は、照射室２内の中性子線源の位置、中性子線量及び中性子線のエネルギーに応じて調整される。
【００２４】
液体供給部１２は、水槽１１の底面１１ａに位置する複数の液体供給口１２ａと、底面１１ａの下方で各液体供給口１２ａに連通する液体供給路１２ｂと、水槽１１の下方に設けられており水槽１１内に供給される液体Ｅの圧力を制御する圧力制御部１２ｃとを備えている。液体供給路１２ｂは空間Ｓで水槽１１の下部に接続されており、液体供給路１２ｂの下端は給水管１２ｆに接続されている。液体供給路１２ｂの一部は空間Ｓで上下に延びており、液体供給路１２ｂの上下に延びる部分の上端が水槽１１の下部に入り込んでいる。また、液体供給路１２ｂの水槽１１の下部に入り込んだ部分は、各液体供給口１２ａに連通している。
【００２５】
圧力制御部１２ｃは、空間Ｓに位置する液体供給路１２ｂの途中部分に設けられている。圧力制御部１２ｃは、ポンプ１２ｄと圧力検知器１２ｅとを備えている。ポンプ１２ｄは、液体供給路１２ｂにおいて、圧力検知器１２ｅよりも上流側（下側）に設けられている。ポンプ１２ｄは、例えば液体Ｅを各液体供給口１２ａに移送するインバーターポンプである。圧力検知器１２ｅは、液体供給路１２ｂの内部における液体Ｅの圧力を検出する。
【００２６】
圧力制御部１２ｃでは、圧力検知器１２ｅが液体Ｅの圧力を検出し、この圧力を基に圧力検知器１２ｅがポンプ１２ｄを制御するフィードバック制御を行う。このフィードバック制御により、圧力制御部１２ｃは、管理された水圧で液体Ｅを水槽１１内に供給することが可能となる。また、圧力制御部１２ｃは、水槽１１内に供給される液体Ｅの圧力が均一となるように液体Ｅの圧力制御を行う。具体的には、圧力制御部１２ｃは、水槽１１内における液体Ｅの水量によって水槽１１の底面１１ａにかかる水圧よりも若干高い水圧で液体Ｅが底面１１ａ上に噴出されるように、液体Ｅの圧力制御を行う。
【００２７】
図２及び図３に示されるように、液体供給口１２ａは、水槽１１の底面１１ａにおいて格子点状に配列されている。また、液体供給口１２ａは、底面１１ａにおいて縦横に等間隔に設けられている。従って、液体供給部１２からは、水槽１１の底面１１ａに均一に液体Ｅが供給される。ここで、「底面に均一に液体を供給する」とは、水槽の底面から液体が面状に上昇するように、水槽の底面に平行な面内で満遍なく液体を供給することを示している。本実施形態では、水槽１１の底面１１ａが水平方向に延在しているため、水平方向に偏りが生じないように、各液体供給口１２ａから同一の量の液体Ｅが供給される。
【００２８】
ヒータ１３は、例えば、水槽１１の底面１１ａに設けられており、２つの液体供給口１２ａの中間を通る櫛歯状となっている。ヒータ１３は、水平方向において均一に液体Ｅを温める。ここで、「水平方向において均一に液体を温める」とは、液体Ｅの水平方向における温度分布（以下、水平温度分布と称する）が偏らないように満遍なく液体を温めることを示している。このように、ヒータ１３は水槽１１内の液体Ｅを満遍なく温める機能を有しており、ヒータ１３で温められた液体Ｅは均一な上昇流Ｆとなって上方に移動する。このとき、先に水槽１１内に供給された液体Ｅが面状に上昇し、古い液体Ｅほど上方に位置することとなる。このように、上方に移動した古い液体Ｅは、水槽１１の空間Ｓ側に突出した部分の上端に達し、この水槽１１の上端から液体排出部１４に常に排出される。
【００２９】
なお、ヒータ１３は、例えば躯体蓄熱を行うため、水槽１１の上部に位置する遮蔽壁Ｗの下面１１ｂに設けられていてもよい。このように、ヒータ１３が設けられる位置については特に限定されない。また、櫛歯状のヒータ１３とは異なる形状のヒータを備えていてもよく、櫛歯状のヒータ１３に代えて、例えば面状のヒータを備えていてもよい。
【００３０】
液体排出部１４は、水槽１１の空間Ｓに突出した部分の上端から溢れる液体Ｅを受け入れる樋部１４ａと、樋部１４ａに入り込んだ液体Ｅを排出する液体排出路１４ｂとを備えている。このように、液体排出部１４は、水槽１１の上端からオーバーフローした液体Ｅを受け入れる簡易な構成となっている。樋部１４ａは、空間Ｓで水槽１１に沿って水平方向に延びている。樋部１４ａは、その長手方向に直交する面で切断したときの断面形状がＬ字状となっている。すなわち、樋部１４ａは、水槽１１の外面に固定された水平部１４ｃと、水平部１４ｃにおける水槽１１の反対側の端部から上方に延びる鉛直部１４ｄとを備える。液体排出路１４ｂは、水平部１４ｃに貫通して形成された孔部１４ｅから下方に延びている。なお、液体排出部１４の形状や配置態様については、上記に限定されず適宜変更可能である。
【００３１】
温度測定部１５は、水槽１１内の液体Ｅの水平温度分布を取得する。温度測定部１５は、例えば液体Ｅの水平温度分布を画像表示するサーモカメラである。また、温度測定部１５は、液体Ｅの水平温度分布における偏りを測定する。このように温度測定部１５が水平温度分布の偏りを測定することによって、液体Ｅの上昇流Ｆが均一となっているか否かをモニタリングすることが可能となる。
【００３２】
すなわち、温度測定部１５によって、ヒータ１３が想定通りに稼動しているか否かをモニタリングすることができる。例えば、液体Ｅの水平温度分布で急激な温度変化があって、温度測定部１５で測定した水平温度分布の偏りが大きい場合には、液体Ｅの上昇流Ｆの強弱が均一となっていない。この状態を温度測定部１５によって検知することができるので、供給される液体Ｅの水量調整又はヒータ１３の配置変更や制御等を行うことによって液体Ｅの水平温度分布を均すことができ、液体Ｅの上昇流Ｆの偏りを解消することが可能となる。
【００３３】
図２では１個の温度測定部１５が設けられる例を示しているが、複数の温度測定部１５が設けられていてもよい。例えば、鉛直方向に沿うように複数の温度測定部１５を配置して、複数の温度測定部１５が複数の高さの水平温度分布を取得してもよい。このように複数の高さの水平温度分布を取得する場合、液体Ｅの温度を層状に（高さ毎に）管理することができる。従って、液体Ｅの水平温度分布及び上昇流Ｆをより精密にモニタリングすることが可能となる。なお、温度測定部１５は、サーモカメラでなくてもよく、例えば液体Ｅの水平温度分布を数値データとして取得する温度検出センサであってもよい。
【００３４】
図１に示されるように、壁体構造２０は、空間Ｓと操作室３の間に設けられている。壁体構造２０は、水槽１１と水平方向に対面する鉛ガラス（鉛が含有されたガラス）である透明板２１と、透明板２１の周囲に設けられる壁部２２とを備えている。透明板２１は壁部２２に埋め込まれている。壁部２２は、空間Ｓ側に位置する鉛シートであるシート部材２２ａと、シート部材２２ａが貼り付けられて操作室３側に位置するプラスターボード２２ｂとを備えている。
【００３５】
透明板２１及びシート部材２２ａは、高比重材料である鉛を含んでおり、前述の二次放射線を遮蔽する機能を有する。このように、遮蔽構造１は、液体Ｅに含まれる水と、鉛を含む透明板２１及びシート部材２２ａとを備え、水槽１１が透明板２１よりも照射室２側に設けられている。従って、水によって照射室２からの中性子線が確実に遮蔽されると共に、透明板２１及びシート部材２２ａによって、水から操作室３側に散乱する二次放射線が確実に遮蔽される。なお、透明板２１（鉛ガラス）の空間Ｓ側は、水槽１１内の水分で腐食し透明性を失う等、水分による影響を受ける懸念があるので、実際の施工の際には透明板２１の表面に対策を施す場合がある。また、壁体構造２０では、壁部２２に代えて、コンクリート製の壁部を用いることも可能である。
【００３６】
以上のように構成される遮蔽構造１の作用効果について説明する。まず、遮蔽構造１では、水槽１１が照射室２と操作室３とを仕切っており、この水槽１１内に水を含む液体Ｅが収容される。よって、照射室２で発生した中性子線を液体Ｅの水素原子によって遮蔽することができる。また、この水槽１１は照射室２と操作室３とを仕切っており、水槽１１と液体Ｅは透明である。従って、水槽１１及び液体Ｅは、照射室２の内部を視認可能な窓として機能する。すなわち、遮蔽構造１では、液体Ｅに含まれる水が透明であるという性質を利用して遮蔽構造１の透明性を確保している。
【００３７】
液体Ｅは、液体供給部１２から水槽１１内に供給された後にヒータ１３によって温められることとなり、水槽１１内に液体Ｅの上昇流Ｆが発生する。また、ヒータ１３によって温められた液体Ｅは、水槽１１から液体排出部１４に排出される。このように、液体供給部１２から水槽１１内に液体Ｅを供給すると共に、ヒータ１３によって上昇流Ｆを発生させて液体Ｅを水槽１１から排出することにより、水槽１１内の液体Ｅの入れ替えを常時行うことができる。そして、水槽１１内の液体Ｅを速やかに入れ替えることができる。
【００３８】
具体的には、水槽１１内に放射化物が蓄積する前に液体Ｅを排出できるので、一般の排水基準を上回ることなく液体Ｅを一般排水に排水させることができる。すなわち、水槽１１では常に液体Ｅの入れ替えが行われ、水槽１１内における放射化物が殆どない状態が維持されるので、安全な液体Ｅの排出を行える。また、この遮蔽構造１では、ヒータ１３で上昇流Ｆを発生させて液体Ｅを排出させるため、液体Ｅの入れ替えを行う構成を簡易にすることができる。
【００３９】
また、液体供給部１２は、水槽１１の底面１１ａに均一に液体Ｅを供給する。このように底面１１ａに均一に液体Ｅを供給すると、液体Ｅの上昇流Ｆは均一になりやすくなる。液体Ｅの上昇流Ｆが均一である場合には、均一でない場合と比較して液体Ｅの逆流が生じにくいので、放射化物が蓄積する前に速やかに液体Ｅを排出させることができる。更に、水槽１１内における液体Ｅの全量入れ替えを行うことができ、液体Ｅを速やかに且つ効率よく入れ替えることが可能となる。
【００４０】
また、ヒータ１３は、水平方向において均一に液体Ｅを温める。このように、ヒータ１３が液体Ｅを水平方向に均一に温めることにより、液体Ｅの上昇流Ｆを均一にすることができる。従って、放射化物が蓄積する前に速やかに液体Ｅを排出することができる。
【００４１】
また、遮蔽構造１は、水槽１１内の液体Ｅの水平温度分布を取得する温度測定部１５を備えている。この温度測定部１５で液体Ｅの水平温度分布を取得することにより、液体Ｅの上昇流Ｆの強弱に偏りが生じていないかどうかを確認することができる。また、液体Ｅの上昇流Ｆの強弱に偏りが生じたことを検知できるので、上昇流Ｆの強弱に偏りが生じた場合に、ヒータ１３の制御等によって上昇流Ｆの強弱を均一に戻すことが可能となる。
【００４２】
また、遮蔽構造１は、水槽１１の底面１１ａに供給される液体Ｅの圧力制御を行う圧力制御部１２ｃを備えている。この圧力制御部１２ｃによって、水槽１１の底面１１ａに圧力が均一となった液体Ｅを供給することができる。従って、水槽１１の底面１１ａからの上昇流Ｆを均一にすることができ、水槽１１内における液体Ｅの入れ替えを一層効率よく行うことができる。
【００４３】
更に、壁体構造２０が鉛ガラスである透明板２１を備えることによって、操作者Ｍは操作室３から空間Ｓ内を視認可能となっている。また、水槽１１及び液体Ｅも透明であるため、操作者Ｍは、操作室３から透明板２１、水槽１１及び液体Ｅを介して照射室２の内部を視認可能となっている。従って、操作室３から照射室２の内部を直視することによって、照射室２内で治療を受ける患者の状況を常に観察することができ、患者の安全性を向上させることができる。また、患者は、透明な窓として機能する遮蔽構造１を通して操作者Ｍを見ることができるので、治療時に安心感を得ることができる。更に、従来の窓が無かった遮蔽構造と比較して、窓を有する遮蔽構造１では閉塞感が払拭されている。
【００４４】
以上、本発明の実施形態について説明したが、本発明は、上記実施形態に限定されるものではなく、各請求項に記載した要旨を変更しない範囲で変形し、又は他のものに適用したものであってもよい。すなわち、本発明は、各請求項の要旨を変更しない範囲で種々の変形が可能である。
【００４５】
例えば、上記実施形態では、遮蔽構造１における照射室２の反対側に操作室３が設けられていた。しかし、遮蔽構造における照射室の反対側に設けられる部屋は、操作室３でなくてもよく、例えば患者の家族が入室する待合室や観察室等、照射室の外に位置する外部空間であればよい。
【００４６】
上記の外部空間は、操作室３等の建物Ｔの屋内空間、及び建物Ｔの外の屋外Ｇの両方を含んでいる。例えば、図４に示されるように、遮蔽構造１における照射室２の反対側は、屋外Ｇとなっていてもよい。すなわち、遮蔽構造１が照射室２と屋外Ｇの間に設置されてもよい。なお、図４では遮蔽構造１を簡略化して図示している。図４に示されるように遮蔽構造１が設置される場合、操作者Ｍは透明な遮蔽構造１を介して患者Ｐを視認することができ、患者Ｐも遮蔽構造１を介して操作者Ｍを視認することができるので、操作者Ｍと患者Ｐに安心感を与えることができる。更に、患者Ｐは、遮蔽構造１を介して屋外Ｇを視認することができるので、屋外Ｇのアメニティを感じとることが可能となる。
【００４７】
また、上記実施形態では、液体Ｅの水平温度分布を取得する温度測定部１５を用いた。しかし、この温度測定部１５に代えて、例えば、液体Ｅの鉛直方向における温度分布を取得する温度測定部を用いてもよい。この場合、温度測定部が取得した鉛直方向の温度分布が想定通りになっているか（例えば上方の液体Ｅが下方の液体Ｅよりも温かい温度分布となっているか否か）をモニタリングすることができる。更に、温度測定部の機能や配置位置については、上記実施形態に限定されず、適宜変更可能である。
【００４８】
また、上記実施形態では、水槽１１と透明板２１の間に空間Ｓが形成されていたが、透明板２１が水槽１１の外面に直接貼り付けられていてもよい。更に、壁体構造２０は、透明板２１と壁部２２を備えていたが、壁体構造２０の構成についても適宜変更可能である。また、遮蔽構造は、水槽、液体供給部、ヒータ及び液体排出部のみを備えていてもよく、壁体構造２０を省略することも可能である。
【００４９】
また、上記実施形態では、鉛ガラスである透明板２１を用いたが、この透明板は、鉛ガラスでなくてもよく、例えばセレン入りガラスであってもよい。すなわち、透明板の材料は、鉛又はセレン等の高比重材料であればよい。更に、壁体構造２０のシート部材２２ａの材料も高比重材料であればよく、鉛に限定されない。但し、透明板やシート部材の材料が鉛である場合には、他の高比重材料と比較して入手しやすいという利点がある。
【符号の説明】
【００５０】
１…遮蔽構造、２…照射室、３…操作室（外部空間）、１１…水槽、１１ａ…底面、１１ｂ…下面、１２…液体供給部、１２ｃ…圧力制御部、１３…ヒータ、１４…液体排出部、１５…温度測定部（温度分布取得手段）、Ｅ…液体、Ｆ…上昇流、Ｇ…屋外（外部空間）、Ｓ…空間。
【図１】
0006412451.tif 000002
【図２】
0006412451.tif 000003
【図３】
0006412451.tif 000004
【図４】
0006412451.tif 000005